(57)【要約】【課題】ユーザーが詳細なコーデックに関する録画パラメータを指定することなく、容易に既存の多様なモバイル機器に応じた最適な録画をリムーバブルメディアに行える録画装置を提供する。【解決手段】録画装置１は、所定の動画再生装置が再生することができる映像のコーデック及びその録画パラメータ情報を含むパラメータ情報ファイル１００が予め記録されたＳＤメモリカード２に映像データを記録する。録画装置１は、映像データを受信する受信部１１と、ＳＤメモリカード２とのインターフェースを行うインターフェース部１４と、インターフェース部１４を制御して録画パラメータ情報ファイル１００をＳＤメモリカード２から読み込む制御部１７と、該録画パラメータ情報ファイル１００に基づいて、受信部１１にて受信された映像データをエンコードし、ＳＤメモリカード２に録画するＭＰＥＧ４記録再生部１５とを具備する。【選択図】図１
2007013602.tif 000002
【特許請求の範囲】
【請求項１】
所定のコンテンツ再生装置によりコンテンツを再生することができる種別の情報が予め記録されたリムーバブルメディアにコンテンツを記録するコンテンツ記録装置であって、
コンテンツが入力されるコンテンツ入力手段と、
前記リムーバブルメディアとのインターフェースを行うインターフェース手段と、
前記インターフェース手段を介して前記種別の情報を前記リムーバルブメディアから読み込む読み込み手段と、
前記読み込み手段にて読み込まれた前記種別の情報に基づいて、前記コンテンツ入力手段にて入力されたコンテンツを変換して前記リムーバブルメディアに記録する記録手段と、
を具備することを特徴とするコンテンツ記録装置。
【請求項２】
前記種別の情報は、コーデックの種別及び前記コーデックのパラメータ情報であることを特徴とする請求項１記載のコンテンツ記録装置。
【請求項３】
前記種別の情報は、前記コンテンツを構成する情報を多重するときの多重方式の情報であることを特徴とする請求項１記載のコンテンツ記録装置。
【請求項４】
前記記録手段は、前記種別の情報に記載された前記パラメータ情報、前記コンテンツの録画時間長及び前記リムーバブルメディアの空き容量に基づいて、１以上の録画モードを作成する録画モード作成手段を具備し、
前記作成された１以上の録画モードのうち、１つの録画モードを選択するための選択画面を表示部に表示し、前記選択画面の表示に応答してユーザーにより選択された録画モードに基づいて、録画パラメータを決定することを特徴とする請求項２記載のコンテンツ記録装置。
【請求項５】
前記記録手段は、前記種別の情報に記載された前記パラメータ情報、前記コンテンツの録画時間長及び前記リムーバブルメディアの空き容量に基づいて、前記入力したコンテンツが最も高画質で記録されるように録画パラメータを決定することを特徴とする請求項２記載のコンテンツ記録装置。
【請求項６】
コンテンツを格納する格納部と、前記コンテンツ入力手段にて入力されたコンテンツを第１のエンコード方式に従ってエンコードして前記格納部に記録し、該格納部に記録されたコンテンツをデコードする第１のコーデック部とを更に具備し、
前記記録手段は、前記第１のコーデック部によりデコードされたコンテンツを、第２のエンコード方式及び前記種別の情報に従ってエンコードして前記リムーバブルメディアに記録し、該リムーバブルメディアに記録されたコンテンツをデコードする第２のコーデック部を具備することを特徴とする請求項２記載のコンテンツ記録装置。
【請求項７】
前記記録手段は、前記種別の情報に記載された前記パラメータ情報、前記コンテンツのデータ量及び前記リムーバブルメディアの空き容量に基づいて、１以上の録画モードを作成する録画モード作成手段を具備し、
前記作成された１以上の録画モードのうち、１つの録画モードを選択するための選択画面を表示部に表示し、前記選択画面の表示に応答してユーザーにより選択された録画モードに基づいて、録画パラメータを決定することを特徴とする請求項６記載のコンテンツ記録装置。
【請求項８】
通信ネットワーク上のサーバと通信可能な通信手段と、
前記通信ネットワーク上のサーバから前記通信手段を介して、所定のコンテンツ再生装置が再生することができるコンテンツのコーデックの種別及びそのパラメータ情報を含む種別の情報をダウンロードする手段と、
ダウンロードされた前記種別の情報を、前記インターフェース手段を介して前記リムーバブルメディアに書き込む手段と、
を更に具備することを特徴とする請求項１記載のコンテンツ記録装置。
【請求項９】
通信ネットワーク上のサーバと通信可能な通信手段と、
前記読み込み手段にて読み込まれた前記種別の情報内に記述されたコーデックを当該コンテンツ記録装置が具備していない場合、該コーデックを前記通信ネットワーク上のサーバから前記通信手段を介してダウンロードする手段と、
を更に具備することを特徴とする請求項１記載のコンテンツ記録装置。
【請求項１０】
リムーバブルメディアとのインターフェースを行うインターフェース手段と、
前記リムーバブルメディアから前記インターフェース手段を介して入力されるコンテンツをデコードし、映像信号を提供するデコード手段と、
前記デコード手段から提供される映像信号に基づいて映像を表示する表示手段と、
所定コーデックの種別及びそのパラメータ情報を含む種別の情報を前記インターフェース手段を介して、前記リムーバブルメディアに書き込む手段と、
を具備することを特徴とするコンテンツ再生装置。
【請求項１１】
リムーバブルメディアに記録されたコンテンツを再生及び表示する再生装置乃至、前記リムーバブルメディアに前記コンテンツを記録する記録装置の一方に適用される方法であって、
前記再生装置が再生することができるコンテンツのコーデックの種別及びそのパラメータ情報を含む種別の情報を、前記リムーバブルメディアに記録することを特徴とするパラメータ情報記録方法。
【請求項１２】
前記種別の情報には、前記リムーバブルメディア内に設けられるフォルダのフォルダ構成に関する情報、映像及び音声の多重方式及びそのパラメータ、映像及び音声のコーデックの種類及び再生能力の上限値に関するパラメータのうち少なくとも１つが含まれることを特徴とする請求項９記載のパラメータ情報記録方法。
【請求項１３】
前記種別の情報を、通信ネットワーク上のサーバからダウンロードし、前記リムーバブルメディアに記録することを特徴とする請求項９記載のパラメータ情報記録方法。
【発明の詳細な説明】
【技術分野】
【０００１】
本発明はコンテンツ記録装置、コンテンツ再生装置及びパラメータ情報記録方法に関し、例えば放送番組などをＳＤメモリカードにＭＰＥＧ４等の形式で録画して、携帯電話や携帯ゲーム機などのモバイル端末で視聴できるようにする機能を備えたＤＶＤレコーダなどのコンテンツ記録装置、コンテンツ再生装置及びパラメータ情報記録方法に関する。
【背景技術】
【０００２】
近年携帯電話やＰＤＡ、携帯ゲームでも動画再生が可能になり、様々な形態のモバイル端末が製品化されているが、モバイル端末は、バッテリー容量の制約から搭載可能な動画再生用のプロセッサ能力に制約があり、メモリ容量などの制約もあることから、一般にあらゆる形式の動画再生に対応することは困難である。この結果、再生可能な動画の仕様は、製品毎に様々である。
【０００３】
例えば、Ｖｉｄｅｏのコーデックに関してはエンコードアルゴリズム（ＭＰＥＧ１、ＭＰＥＧ４、Ｈ．２６４等）に加えて、各アルゴリズムに付随して、ビットレート、解像度、フレームレートといった仕様項目についてのパラメータのバリエーションがあり、Ａｕｄｉｏのコーデックについても同様にアルゴリズム（ＭＰＥＧ２  ＡＡＣ、ＭＰＥＧ４  ＡＡＣ、ＭＰ３等）、ビットレート、サンプリング周波数といった項目がある。この他、ＶｉｄｅｏとＡｕｄｉｏの多重形式や、多重されたファイルのファイル名やこれを格納するフォルダの構成についてもいくつかの規格、バリエーションがある。
【０００４】
これらの状況から、モバイル端末向けに統一された録画形式の標準規格はない。このため、従来では下記特許文献１のように、録画機器には予め録画処理で使用可能なコーデックやそのパラメータの組み合わせが数パターン用意され、録画時にユーザーがこれらパターンの中から、再生機器のスペックに近いものを選択して映像を録画していた。
【特許文献１】特開２００４−３２８３２２（段落００１０の課題を解決するための手段）
【発明の開示】
【発明が解決しようとする課題】
【０００５】
上記特許文献１の場合、録画機器の選択可能なパラメータや組み合わせパターンはあらかじめ限られているために、再生機器によっては必ずしもその処理能力を最大限生かした録画を行えるとはかぎらす、またモバイル機器の多様化、高性能化に合わせた高品位な録画に柔軟に対応することはできなかった。
【０００６】
また上記特許文献１に記載の技術は、リムーバブルメディアに録画コンテンツの他、コーデックソフトウェア自体も記録しておき、再生機器側がこれを読み込むことで、新たなコーデックに対応するものである。しかし、一般にコーデックソフトウェアはデジタル信号処理をリアルタイム行うため負荷が重く、実行する機器のＣＰＵあるいはＤＳＰの処理能力を有効に引き出す必要があることから、特化したコードで作成される。このためコーデックソフトウェアそのものは汎用性がなく、多様なモバイル端末に合わせて、この様なコーデックソフトウェアを個別に用意しなければならない。また、従来の通常のモバイル機器にはリムーバブルメディアに記録されたコーデックソフトウェアを読み込んで実行する手段は無いため、録画機器と再生機器の組み合わせは極めて限定される。
【０００７】
本発明は、ユーザーが詳細なコーデックに関する録画パラメータを指定することなく、容易にモバイル機器に応じた最適な録画をリムーバブルメディアに行うことができるコンテンツ記録装置、コンテンツ再生装置及びパラメータ情報記録方法を提供することを目的とする。
【課題を解決するための手段】
【０００８】
本発明では、予めリムーバブルメディアに再生機器側の映像・音声のコーデック等のパラメータ情報を記録しておき、リムーバブルメディアに録画をする際には、録画装置はこのパラメータ情報に従って、モバイル機器が映像を再生するのに最適なパラメータを用いて映像を記録する。
【０００９】
本発明の一実施例に係る映像記録装置は、所定のコンテンツ再生装置がコンテンツを再生することができる種別の情報が予め記録されたリムーバブルメディアにコンテンツを記録するコンテンツ記録装置であって、
コンテンツが入力されるコンテンツ入力手段と、前記リムーバブルメディアとのインターフェースを行うインターフェース手段と、前記インターフェース手段を介して前記種別の情報を前記リムーバルブメディアから読み込む読み込み手段と、前記読み込み手段にて読み込まれた前記種別の情報に基づいて、前記コンテンツ入力手段にて入力されたコンテンツを変換して前記リムーバブルメディアに記録する記録手段と、
を具備する。
【発明の効果】
【００１０】
ユーザーが詳細なコーデックに関する録画パラメータを指定することなく、容易にモバイル機器に応じた最適な録画をリムーバブルメディアに行うことができるコンテンツ記録装置、コンテンツ再生装置及びパラメータ情報記録方法を提供することができる。
【発明を実施するための最良の形態】
【００１１】
図１は、本発明による映像記録装置としての録画装置の一実施形態を示すブロック図である。 
本発明の録画装置１は、放送番組等の映像コンテンツを受信するチューナーとして機能する受信部（コンテンツ入力手段）１１と、受信番組などを記録するためのハードディスク装置（ＨＤＤ）１２と、受信番組をＭＰＥＧ２の形式でＨＤＤ１２に記録し、またＨＤＤ１２から読み出した番組を再生するためのＭＰＥＧ２記録・再生部１３と、ＳＤカードＩ／Ｆ部１４と、ＳＤカードＩ／Ｆ部１４を介してリムーバブルメディアであるＳＤメモリカード２に番組を記録し、またＳＤカード２に記録された番組を再生するためのＭＰＥＧ４記録再生部１５と、ＭＰＥＧ２記録・再生部１３あるいはＭＰＥＧ４記録・再生部１５によりで再生された映像及び音声信号をモニタ装置３に出力するためのＡＶ出力部１６と、これらを制御する制御部１７と、ユーザーからの指示を入力するためのユーザーＩ／Ｆ部１８と、通信回線を介してインターネット等の通信ネットワーク上のサーバと通信可能な通信部１９とを含み、これら各部がバスラインを介して接続される。ＳＤメモリカード２には後述の録画パラメータ情報ファイル１００が格納されている。
【００１２】
ＭＰＥＧ２記録・再生部１３及びＭＰＥＧ４記録・再生部１５は、それぞれエンコード及びデコードを行うコーデックである。録画装置１はこれらコーデックの他に、Ｈ．２６４（ＭＰＥＧ４  ＡＶＣ）コーデック等様々のコーデックを好適に具備する。しかし、ここでは説明を簡単にするために、録画装置１は２つのコーデック１３、１５のみを具備しているものとする。
【００１３】
図２は、リムーバブルメディアであるＳＤメモリカード２にＭＥＰＧ４の形式で、放送番組などの映像及び音声コンテンツデータ（以下、単にコンテンツデータという）をエンコードして記録し、またＳＤメモリカード内のＭＰＥＧ４で記録されたコンテンツを再生するＭＰＥＧ４記録・再生部１５の一実施形態を示すブロック図である。
【００１４】
記録の際に、ＭＰＥＧ４記録・再生部１５は、入力された映像信号をＭＰＥＧ４  Ｖｉｄｅｏの形式でエンコードし、音声信号をＭＰＥＧ４  ＡＡＣ(Adovanced Audio Codec)の形式でエンコードし、エンコードされた映像及び音声それぞれのデータを、ＭＰ４のファイルフォーマットで多重して出力する。
【００１５】
図１及び図２における、ＭＰＥＧ２録画・再生部１３及びＭＰＥＧ４録画・再生部１５は、専用のハードウェにより構成してもよいし、汎用ＣＰＵあるいはＤＳＰを用いてソフトウェアにより構成しもよい。
【００１６】
また、本発明に係る録画装置の他の実施形態としては、ＳＤメモリカードスロットなどを備えたノートＰＣ等の機器に、デジタル放送受信のためのチューナカード等のアダプターを接続することにより、携帯ＴＶ受信機として機能する装置も好適である。この場合、例えばチューナカードから出力される圧縮符号化された映像や音声の再生は、ノートＰＣのＣＰＵによるソフトウェアにより行う。またカードスロットに接続されたＳＤメモリカードに記録するための映像及び音声のＭＰＥＧ４エンコードや、エンコードされた映像及び音声データの多重処理もソフトウェアにより行う。
【００１７】
本発明の録画装置は、上述したような構成により、制御部の制御下において、テレビ放送の受信、この受信した放送信号のＨＤＤやＳＤメモリカードへの記録、ＨＤＤあるいはＳＤメモリカードに記録されているコンテンツデータや外部から提供された動画ファイルの再生を行うことができる。
【００１８】
図３はメモリカード２に記録されたコンテンツデータを読出し再生する動画再生装置４の構成を示すブロック図である。動画再生装置４は携帯可能であって、携帯電話、ＰＤＡ又は携帯ゲーム機として構成できる。
【００１９】
本発明に係る動画再生装置４は、ＳＤメモリカード２が接続されＳＤメモリカード２に記録されたコンテンツデータを入力する外部メモリカードＩ／Ｆ部２１、入力されたＭＰＥＧ４形式のコンテンツデータをデコードするＭＰＥＧ−ＡＶデコード部２２、デコードされたコンテンツデータをＤ／Ａ変換及び増幅し、映像及び音声信号を出力する映像音声出力部２３、映像及び音声信号に基づいて映像及び音声を提供するモニター部２４、基地局等の通信施設と通信を行う通信部２５、通信部２５により受信されたデータ等を記録するメモリ部２７、ユーザーインターフェースとしての操作部２６、操作部２６を介して入力されたユーザー指示に基づいて再生装置４の上記各部を制御する制御部（ＣＰＵ）２８、及びバッテリー部２９とを含む。メモリ部２７はフラッシュメモリなどの不揮発性メモリであって、後述の録画パラメータ情報ファイル１００を好適に有している。
【００２０】
図４は、ＳＤメモリカードに記録される録画パラメータ情報ファイル（種別の情報）１００のデータ構成の一例を示したものである。
【００２１】
この例では、録画パラメータ情報ファイル１００には、フォルダ構成に関するパラメータ１０１、多重フォーマットに関するパラメータ１０２、Ｖｉｄｅｏコーデックに関するパラメータ１０３ａ、１０３ｂ…、Ａｕｄｉｏコーデックに関するパラメータ１０４ａ、１０４ｂ…が記録されている。このように録画パラメータ情報ファイル１００には、フォルダ構成、多重フォーマット、Ｖｉｄｅｏコーデック、Ａｕｄｉｏコーデックに関するパラメータが、それぞれパラメータブロックとして記録されている。例えば、Ｖｉｄｅｏコーデックに関するパラメータブロック１０３の場合、再生装置４が複数種のＶｉｄｅｏコーデックに対応している場合には、その複数種のＶｉｄｅｏコーデックに関するパラメータ１０３ａ、１０３ｂ…が記述される。
【００２２】
図５は、各パラメータブロック１０１〜１０４に共通する内部データ構成の概要を示したものである。各パラメータブロックは、当該パラメータブロックの種類を示すタグ種別１１１と、当該パラメータブロックのデータ長１１２と、タグ種別毎のパラメータデータ本体１１３から構成される。
【００２３】
図６は、フォルダ構成パラメータブロック１０１の内部構成の具体例を示す。ここでは、データ本体部分１１３のフォルダ構成の種別１１３ａとして例えば「ＳＤ−ＶＩＤＥＯ規格のＭｏｂｉｌｅ  Ｖｉｄｅｏ  Ｐｒｏｆｉｌｅ」、及び著作権保護の方式１１３ｂとして例えば「ＣＰＲＭ  ｆｏｒ  ＳＤ−Ｖｉｄｅｏ」が記述されている。
【００２４】
図７は多重フォーマットパラメータブロック１０２の内部構成の例、図８はＶｉｄｅｏコーデックパラメータブロック１０３の内部構成の例、図９はＡｕｄｉｏコーデックフォーマットパラメータブロック１０４の内部構成の例である。
【００２５】
ここで例えば、Ｖｉｄｅｏコーデックパラメータブロック１０３及びＡｕｄｉｏコーデックフォーマットパラメータブロック１０４は、最も高画質／高音質なパラメータの組み合わせでファイルを構成したり、最も低ビットレートとなるパラメータの組み合わせでファイルを構成する。
【００２６】
この録画パラメータ情報ファイル１００は、動画再生装置４自体が対応可能なコーデックに関する情報であることから、例えば再生装置４が図３のようにメモリ部２７に記録された録画パラメータ情報ファイル１００として具備し、ＳＤメモリカード２にこの録画パラメータ情報ファイル１００がコピーされる。
【００２７】
また、動画再生装置４が動画再生機能を備えた携帯電話のような装置である場合、前述のように再生装置自体が録画パラメータ情報ファイル１００を備えていなくても、通信ネットワーク上のサーバーに当該再生装置４に関する録画パラメータ情報ファイル１００を予め登録しておき、再生装置４が通信手段２５を用いて録画パラメータ情報ファイル１００をダウンロードしてＳＤメモリカードに記録してもよい。
【００２８】
尚、この録画パラメータ情報ファイル１００に含める情報としては、例えば多重フォーマットに関するパラメータブロック１０２のみでもよい。そのような場合、ビデオまたはオーディオのような他のパラメータは、一般的な値を用いるか、またはユーザ指示に基づいて決定することも可能である。  また、同様に録画装置１が通信手段を備えている場合、当該再生装置４に関するパラメータ情報ファイルをサーバーからダウンロードしてＳＤメモリカードに記録してもよい。再生装置４又は録画装置１を用いて、録画パラメータ情報ファイル１００が一度ＳＤカード２に記録されると、この録画パラメータ情報ファイル１００を基にして、録画装置１はＳＤメモリカード２にコンテンツデータを何回でも上書きすることが可能となる。
【００２９】
図１０は録画パラメータ情報ファイル１００をＷｅｂサーバからダウンロードしてＳＤメモリカードに記録する方法を示すフローチャートであって、この方法は動画再生装置４及び録画装置１の一方又は両方に適用される。
【００３０】
動画再生装置４又は録画装置１は、先ずステップＳ１０１のように、通信部を用いて所定Ｗｅｂサーバにアクセスする。この所定Ｗｅｂサーバは、例えば動画再生装置４の製造メーカーがインターネット上に開設したサイトである。ステップＳ１０２では、録画パラメータ情報ファイル１００の要求と共に、製品名及び型番等の動画再生装置４を特定するための情報を送信する。
【００３１】
次にステップＳ１０３のように、録画パラメータファイル要求に応じてＷｅｂサーバから送信される録画パラメータ情報ファイル１００をダウンロードする。ステップＳ１０４では、ダウンロードした録画パラメータ情報ファイル１００をＳＤメモリカード２に書き込む。
【００３２】
図１１は、録画装置１が録画パラメータを決定し、ＳＤメモリカードに映像データを録画する動作の一例を示すフローチャートである。
【００３３】
制御部１７は、ＳＤメモリカード２に記録されている録画パラメータ情報ファイル１００を読出しオープンする(ステップＳ２０１）。このとき、ＳＤメモリカード内に録画パラメータ情報ファイル１００がないか、又はファイルオープンに失敗した場合、、制御部１７はデフォルトの録画モード（映像が録画されたときの画質）を複数作成する(ステップＳ２１４）。このデフォルトの録画モードは、例えばコーデックの種別をＭＰＥＧ４ ＳＰとし、例えば１５[フレーム／ｓ］のような代表的な幾つかのフレームレート及び６４［Ｋｂｐｓ]のような代表的な幾つかのビットレートを基にして作成される。このとき、更に複数の音声モード（音質）を４８［Ｋｂｐｓ］のような代表的な幾つかのサンプリング周波数及び４８［Ｋｂｐｓ］のような代用的な幾つかの音声ビットレートから作成しても良い。
【００３４】
ステップＳ２０２において、ＳＤメモリカード内に画像パラメータ情報ファイル１００がありオープンに成功した場合、制御部１７は録画パラメータ情報ファイル１００を読み込む(ステップＳ２０３）。ここで、読み込まれた録画パラメータ情報ファイル１００内に記述されたコーデックを当該録画装置１が具備していない場合、制御部１７は該コーデックを通信ネットワーク上のサーバから通信部１９を介してダウンロードする（ステップＳ２０５）。
【００３５】
ステップＳ２０６において制御部１７は、画像パラメータファイルのフォーマットをチェックする(ステップＳ２０６）。このフォーマットチェックでは、例えば、タグ種別としてありえない異常な値が記述されている場合、制御部１７はフォーマットエラーと判断する。フォーマットエラーの場合、制御部１７は録画パラメータ情報ファイル１００がエラーである旨をモニタ装置３に表示し(ステップＳ２１３）、前述のステップＳ２１４に移行する。
【００３６】
画像パラメータファイルのフォーマットにエラーがない場合、制御部１７はＳＤカード２の空き容量を調べる(ステップＳ２０８）。制御部１７は録画パラメータ情報ファイル１００に記述されている例えば最高及び最低フレームレート、最高及び最低ビットレート、録画時間長（コンテンツデータの放送時間長）、及びＳＤカード２の空容量を基に、必要な録画時間長の録画が行える録画モードを複数作成する(ステップＳ２０９）。このとき、更に複数の音声モードを最高及び最低サンプリング周波数及び最高及び最低音声ビットレートを基に作成しても良い。
【００３７】
ステップＳ２１０では、録画モードの選択画面をモニタ装置３に表示する。複数の録画モードのうち１つがユーザーにより選択されると(ステップＳ２１１）、制御部１７は選択された録画モードに対応するパラメータ値を録画用のパラメータ値と決定する(ステップＳ２１２）。
【００３８】
尚、ステップＳ２１０〜Ｓ２１２のように、ユーザーが録画モードを選択するのではなく、制御部１７が最小及び最大フレームレート、最大及び最小ビットレート、録画時間長、及びＳＤカード２の空容量を基に、必要な時間長の録画が行える範囲で最高画質の録画モードを判断し、その録画モードに対応するパラメータの組み合わせを録画用のパラメータ値と決定してもよい。
【００３９】
その後、予約録画の場合は、予約された時刻に、受信部１１により受信されたコンテンツデータがＭＰＥＧ４記録再生部１５により、ステップＳ２１２で決定された録画用のパラメータに基づいてエンコードされ、ＳＤカード２に録画される。
【００４０】
尚、ＨＤＤ１２に記録されているコンテンツをＳＤカード２にダビングする場合は、ステップＳ２０９の処理が異なる。即ち、ＨＤＤ１２に記録されているコンテンツのうち１つがユーザーにより選択され、この選択されたコンテンツの総データ量と、録画パラメータ情報ファイル１００の内容と、ＳＤメモリカードの空き容量に基づいて録画モードが複数作成される。他の処理は図１１と同様である。録画用のパラメータがステップＳ２１２のように決定すると、前記選択されたコンテンツがＨＤＤ１２から読み出され、ＭＰＥＧ２記録再生部１３によりデコードされる。更にコンテンツは、ＭＰＥＧ４記録再生部１５により、ステップＳ２１２のように決定された録画用のパラメータに基づいてエンコードされ、ＳＤカード２に記録される。尚、コーデックの組み合わせによっては、ＨＤＤ１２に第１のコーデック方式で記録されたコンテンツをデコードすることなく、直接第２のコーデック形式のコンテンツに変換することも可能な場合がある。この場合には、デコードすることなく、直接トランスコードにより変換してもよい。これによりデコードに必要な処理を削減することができる。
【００４１】
以上のように、予めＳＤメモリカード２のようなリムーバブルメディアに、動画再生装置が再生可能な又は最も適切に再生することができる映像・音声のコーデックのパラメータ情報を記録しておき、録画装置は録画時に、このメディアに記録されたコーデックのパラメータ情報に従って、（ダビング時はエンコード／トランスコードを行って）録画することにより、既存のモバイル機器に対応した録画を、再生機器毎に異なる録画パラメータの詳細をユーザーが知らなくとも行うことができる。このトランスコードとは圧縮方式を替えてコンテンツを変換することを示す。
【００４２】
また、パラメータ情報に、フォルダ構成に関する情報、映像及び音声の多重方式及びそのパラメータ、映像及び音声のコーデックの種類及び再生能力の上限値及び下限値に関するパラメータを含めることで、多様な再生機器のそれぞれの動画再生能力を生かした最適な録画を行えるようになる。
【００４３】
録画装置あるいは動画再生装置が、リムーバブルメディアに前記パラメータ情報を記録する手段を備えていることで、再生機器毎に異なる録画パラメータの詳細をユーザーが知らなくともコンテンツをリムーバブルメディアに記録することができる。
【００４４】
録画装置あるいは動画再生装置が、上記のリムーバブルメディアに記録する当該再生機器のパラメータ情報を、通信手段により所定のＷｅｂサイトからダウンロードすることにより、前記パラメータ情報をリムーバブルメディアに記録する手段をあらかじめ持たない従来の再生機器に対しても、最適な録画を行うことができる。
【００４５】
録画装置は、録画の際にリムーバブルメディアに記録された前記パラメータ情報と、当該メディアの空き容量から、録画可能な時間とその録画パラメータの組み合わせについての選択肢を複数作成し、これをユーザーに提示して選択できるようにすることにより、メディア容量と録画時間長を加味したユーザーにとって最適な録画を行うことができる。
【００４６】
以上の説明はこの発明の実施の形態であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４７】
【図１】本発明による映像記録装置としての録画装置の一実施形態を示すブロック図である。
【図２】図１のＭＰＥＧ４記録・再生部１５の一実施形態を示すブロック図である。
【図３】動画再生装置４の構成を示すブロック図である。
【図４】録画パラメータ情報ファイル１００のデータ構成の一例を示す図である。
【図５】各パラメータブロック１０１〜１０４に共通するデータ構成の概要を示す図である。
【図６】フォルダ構成パラメータブロック１０１の具体的な構成例を示す図である。
【図７】多重フォーマットパラメータブロック１０２の構成例を示す図である。
【図８】Ｖｉｄｅｏコーデックパラメータブロック１０３の構成例を示す図である。
【図９】Ａｕｄｉｏコーデックフォーマットパラメータブロック１０４の構成例を示す図である。
【図１０】録画パラメータ情報ファイル１００をＷｅｂサーバからダウンロードしてＳＤメモリカードに記録する方法を示すフローチャートである。
【図１１】録画装置１が録画パラメータを決定し、ＳＤメモリカードに映像データを記録する動作の一例を示すフローチャートである。
【符号の説明】
【００４８】
１…録画装置、２…ＳＤメモリカード、３…モニタ装置、４…動画再生装置、１１…受信部、１２…ハードディスクドライブ、１３…ＭＰＥＧ２記録・再生部、１５…ＭＰＥＧ４記録・再生部、１６…ＡＶ出力部、１７…制御部、１８…ユーザーＩ／Ｆ部。
【図１】
2007013602.tif 000003
【図２】
2007013602.tif 000004
【図３】
2007013602.tif 000005
【図４】
2007013602.tif 000006
【図５】
2007013602.tif 000007
【図６】
2007013602.tif 000008
【図７】
2007013602.tif 000009
【図８】
2007013602.tif 000010
【図９】
2007013602.tif 000011
【図１０】
2007013602.tif 000012
【図１１】
2007013602.tif 000013